(57)【要約】【課題】モバイルの静止画像と動画像に対して最適化された画面をディスプレイすることができるモバイルディスプレイモジュールを提供する【解決手段】本発明のモバイルディスプレイモジュールは、入力される画像データを保存するグラフィックＲＡＭ（メモリ）と、前記グラフィックメモリから出力される画像データをラッチするデータラッチ部と、該データラッチ部から出力される画像データをガンマ電圧によって液晶パネルに印加するドライバと、前記グラフィックメモリに入力される画像データが動画像データであるか、静止画像データであるかを判別するデータ判別部と、該データ判別部から出力されるコントロール信号を受けて、前記画像データが動画像データか静止画像データかに対応した適切なガンマ電圧を前記ドライバーに出力するガンマ電圧発生部と、を含んで構成されることを特徴とする。【選択図】図２
2005198248.tif 000002
【特許請求の範囲】
【請求項１】
入力される画像データを保存するグラフィックメモリと、
前記グラフィックメモリから出力される画像データをラッチするデータラッチ部と、
前記データラッチ部から出力される画像データをガンマ電圧によって液晶パネルに印加するドライバと、
前記グラフィックメモリに入力される画像データが動画像データであるか、静止画像データであるかを判別し、その判別結果に基きガンマ電圧のコントロール信号を出力するデータ判別部と、
前記データ判別部から出力されるコントロール信号を受けて前記画像データが動画像データならば動画像データに適するガンマ電圧を前記ドライバに出力し、前記画像データが静止画像データならば静止画像データに適するガンマ電圧を前記ドライバに出力するガンマ電圧発生部と、
を含んで構成されることを特徴とするモバイルディスプレイモジュール。
【請求項２】
前記データ判別部は、前記グラフィックメモリのｎ番目フレームの画像データと実際にグラフィックメモリーの中間部分に位置したｎ＋１番目フレームの画像データを比べてその結果信号を前記ガンマ電圧発生部に出力する比較器をさらに含むことを特徴とする請求項１に記載のモバイルディスプレイモジュール。
【請求項３】
前記データ判別部は、ｎ番目フレームの画像データとｎ＋１番目フレームの画像データを比べて２つの画像データがお互いに同一であれば静止画像として判断し、前記ｎ＋１番目フレームの画像データとｎ＋２番目フレームの画像データを比べて、２つの画像データがお互いに同一であればアプリケーションメニューが変更されたものとして判断して静止画像として判断し、前記ｎ番目フレームの画像データとｎ＋１番目フレームの画像データがお互いに同じでもなく、ｎ＋１番目フレームの画像データとｎ＋２番目フレームの画像データもお互いに同一でなければ動画像として判断することを特徴とする請求項１または２に記載のモバイルディスプレイモジュール。
【請求項４】
前記データ判別部は、ｎ番目フレームの比較される領域にある画像データの最上位ビットとｎ＋１番目フレームで同一位置にある最上位ビットを入力とする第１エクスクルーシブオアゲートと、
前記ｎ番目フレームの画像データの最下位ビットとｎ＋１番目フレームの画像データの最下位ビットを入力とする第ｍ−１エクスクルーシブオアゲートと、
前記第１から第ｍ−１エクスクルーシブオアゲートのｍ個の出力を入力とするオアゲートと、
から構成されることを含むことを特徴とする請求項１または２に記載のモバイルディスプレイモジュール。
【請求項５】
前記データ判別部は、前フレームと現在フレームのデータを比べてその差が基準値以上ならば動画像として判断し、その差が基準値と同じであるか小さければ静止画像として判断することを特徴とする請求項１または２に記載のモバイルディスプレイモジュール。
【発明の詳細な説明】
【技術分野】
【０００１】
本発明はディスプレイモジュール（Ｄｉｓｐｌａｙ  ｍｏｄｕｌｅ）に関し、特に、モバイルディスプレイにおいて静止画像は静止画像に好適なガンマ電圧（Ｇａｍｍａ  ｖｏｌｔａｇｅ）を供給して、動画像は動画像に好適なガンマ電圧を供給して画像特性に好適なディスプレイが可能なようにしたモバイルディスプレイモジュールに関する。
【背景技術】
【０００２】
最近、情報通信技術の発展と携帯電話市場が急激に成長し、携帯電話を用いて電話はもちろん、インターネット、データ処理が可能になった。これに伴い、画質向上をはかって、節電機能を向上させるように、携帯電話のＬＣＤ市場の動向も大きい変化が生じている。
【０００３】
従来のモバイルディスプレイモジュールのうちでデータ処理と関連した部分は、図１に示すように、大よそ、液晶パネルで映像データを印加するドライバ１と、外部から画像を入力されて保存するグラフィックＲＡＭ３と、グラフィックＲＡＭ３から出力される画像データをラッチさせた後、ドライバ１に出力するデータラッチ部５と、ドライバ１にガンマ電圧（Ｇａｍｍａ  ｖｏｌｔａｇｅ）を出力するガンマ電圧発生部７から構成される。
【０００４】
このように構成された従来のモバイルディスプレイモジュールによれば、ガンマ電圧発生部７はグラフィックＲＡＭ３に保存された映像データが動画像データであっても、静止画像データであっても常に固定された値でプログラミングされたガンマ電圧をドライバ１に出力する。
【０００５】
これに、ドライバ１はガンマ電圧発生部７から入力されるガンマ電圧によってデータラッチ部５で入力されるデータを液晶パネルに印加して液晶パネルに画像をディスプレイする。
【０００６】
しかし、上記のようなモバイルディスプレイモジュールには次のような問題点がある。
即ち、従来のモバイルディスプレイモジュールではデータの特性が余り考慮されることがなかった。最適化された画像をディスプレイするためには動画像と静止画像を区別してそれに合うようにディスプレイしなければならないにもかかわらず、静止画像と動画像が全く区別されていなかった。例えば、特許文献１には、１フレームの平均輝度を計算し、これに対応したガンマ電圧を画面に印加する技術が開示されている。しかし、動画像と静画映像の区別はされていない。
【０００７】
既存のモバイルでのディスプレイ画像は主に静止画像であったが、最近のモバイル技術の発展によってモバイルでも動画像をディスプレイすることができるようになった。しかしながら、従来のモジュールでは液晶パネルにディスプレイされるデータが動画像データであっても、静止画像データであっても常に一定なガンマ電圧を印加するので、動画像及び静止画像に対する最適化されたディスプレイ画面を見られなかった。
【特許文献１】特開２００３−２７１１１４号公報
【発明の開示】
【発明が解決しようとする課題】
【０００８】
本発明は上記のような従来技術の問題点を解決するために案出されたものであり、ディスプレイする映画像の特性に依存して、最適な静止画像と動画像をディスプレイすることができるモバイルディスプレイモジュールを提供することにその目的がある。
【課題を解決するための手段】
【０００９】
前記の目的を果たすための本発明のモバイルディスプレイモジュールは、入力される画像データを保存するグラフィックメモリと、該グラフィックメモリから出力される画像データをラッチするデータラッチ部と、該データラッチ部から出力される映像データをガンマ電圧によって液晶パネルに印加するドライバと、前記グラフィックメモリに入力される画像データが動画像データであるか、静止画像データであるかを判別し、その判別結果に基きガンマ電圧のコントロール信号を出力するデータ判別部と、該データ判別部から出力されるコントロール信号を受けて前記画像データが動画像データならば動画像データに当たるガンマ電圧を前記ドライバに出力し、前記画像データが静止画像データならば静止画像データに当たるガンマ電圧を前記ドライバに出力するガンマ電圧発生部と、を含んで構成されることを特徴とする。
【００１０】
ここで、前記データ判別部は、前記グラフィックメモリのｎ番目フレームの画像データと同じ位置であり、グラフィックメモリの中間部分に位置したｎ＋１番目フレームの画像データを比べてその結果信号を前記ガンマ電圧発生部に出力する比較器をさらに含む。
【００１１】
また、前記のデータ判別部は、ｎ番目フレームの画像データとｎ＋１番目フレームの画像データを比べて２つの画像データがお互いに同一であれば静止画像として判断し、前記ｎ＋１番目フレームの画像データとｎ＋２番目フレームの画像データを比べて２つの画像データがお互いに同一であればアプリケーションメニューが変更されたものとして判断して静止画像として判断し、前記ｎ番目フレームの画像データとｎ＋１番目フレームの画像データもお互いに同一でなく、ｎ＋１番目フレームの画像データとｎ＋２番目フレームの画像データもお互いに同一ではなければ動画像と判断する。
【００１２】
また、前記のデータ判別部はｎ番目フレームの比較される領域にある画像データの最上位ビットとｎ＋１番目フレームで同一位置にある最上位ビットを入力とする第１エクスクルーシブオアゲートと、前記ｎ番目フレームの画像データの最下位ビットとｎ＋１番目フレームの画像データの最下位ビットを入力とする第ｍ−１エクスクルーシブオアゲートと、前記第１から第ｍ−１ｍエクスクルーシブオアゲートのｍ個の出力を入力とするオアゲートで構成されることを含む。
【００１３】
また、前記のデータ判別部は、前フレームと現在フレームのデータを比べてその差が基準値以上ならば動画像として判断し、その差が基準値と同じであるか、小さければ静止画像として判断する。
【発明の効果】
【００１４】
上述したように、本発明によるモバイルディスプレイモジュールは次のような效果がある。
モバイル液晶パネルに画像をディスプレイする場合に、入力される画像が動画像であるか、静止画像であるかを判断して動画像の場合には動画像に適するガンマ電圧をドライバーに提供し、静止画像の場合には静止画像に適するガンマ電圧をドライバーに提供することにより、各画像データに合う最適のディスプレイ画面を提供することができる。
【発明を実施するための最良の形態】
【００１５】
本発明の目的、特徴及び長所などは次に説明する本発明の実施例から明確になるであろう。
【００１６】
以下、添付された図面を参照して本発明のモバイルディスプレイモジュールを説明する。
図２は本発明によるモバイルディスプレイモジュールの構成を示すブロック図である。
図２に示すように、本発明のモバイルディスプレイモジュールは液晶パネルに画像データを印加するドライバ２１、入力される画像データを保存するグラフィックＲＡＭ（メモリ）２３と、グラフィックメモリ２３から出力される画像データをラッチ（Ｌａｔｃｈ）するデータラッチ部２５と、グラフィックメモリ２３に入力される画像データが動画像データであるか、それとも静止画像データであるかを判別してそれに依存したコントロール信号を出力するデータ判別部２７と、データ判別部２７から出力されるコントロール信号を受けてドライバ２１に出力されるガンマ電圧を調整して出力するガンマ電圧発生部２９と、を含んで構成される。
【００１７】
モバイルの場合には、グラフィックメモリ２３に保存される画像データは実際ディスプレイされるデータと１：１に対応（ｍａｔｃｈ）する。即ち、グラフィックメモリ２３領域の、一番左側の一番上のデータは実際に液晶パネルにディスプレイされる時にも一番左側の一番の上にディスプレイされるということを意味する。
【００１８】
図３は図２のデータ判別部の詳細構成を示すブロック図である。前述したように、グラフィックメモリに保存されるデータの位置がパネルにディスプレイされる位置と同一であるが、モバイルの多くの場合、その上の部分と下の部分にはアンテナの感度状態、乾電池の残り程度、日付、時間などに関する情報がディスプレイされる。
【００１９】
この点を利用すれば、データが動画像データであるか、静止画像データであるかを判別する場合に、前フレーム（Ｆｒａｍｅ）と現在フレームの全てのデータを比較しなくても、フレームの中間領域にある少ない部分のデータで判別することができるようになる。
【００２０】
従って、ｎ番目フレームの画像データは全ての部分ではなくて、中間部分の少ないデータのメモリ領域のみを持てばよい。これはモバイルの解像度が低いということを勘案すれば実際に加えられるメモリの量は少なくてよいということが分かる。
【００２１】
即ち、図４のフロー図に示すように、データの比較がフレームのすべての部分でなされるものではなく、中間部分でｎ番目フレームの画像データとｎ＋１番目フレームの画像データを比べて（Ｓ４０１）、２つの画像データが同一であれば静止画像として判断する。
【００２２】
次に、ｎ＋１番目フレームの映像データとｎ＋２番目フレームの画像データを比べて（Ｓ４０２）、２つの画像データが同一であればアプリケーションメニューが変更されたものと判断して静止画像として判断する。
【００２３】
最後に、ｎ番目フレームの画像データとｎ＋１番目フレームの画像データがお互いに同じでなく、ｎ＋１番目フレームの画像データとｎ＋２番目フレームの画像データもお互いに同じでない場合には、その値をデータ判別部２７に入力して（Ｓ４０３）、最終動画像として判断して、動画像に適するガンマ調整値によって液晶パネルに画面がディスプレイされるようにする。
【００２４】
この時、前フレームと現在フレームの画像データが同一であるかを判断する方法はデータメモリー領域間でデータの差を求めればよい。この差が０ならば２つフレームの画像データが同一なものとして判断するが、差を求めるためには各データのバイト（ｂｙｔｅ）別にエクスクルーシブオア（Ｅｘｃｌｕｓｉｖｅ  ＯＲ）を使って求める。
【００２５】
参考に、図５にフレーム間のメモリ領域間でデータの差を求める方法を説明するための回路図の一例を示す。エクスクルーシブオアゲート５１は入力される２つのデータが同一であれば“０”を出力し、入力されるデータがお互いに異なると“１”を出力する特性を有するので、２つフレームのメモリ領域のエクスクルーシブオア回路を通過させる時、その出力値がすべて“０”になれば２つの映像データはお互いに同一であると判断し、その出力値が“１”になれば２つの映像データはお互いに異なるものとして判断する。
【００２６】
実際には図５に示したように、各バイト別比較のために最上位ビット（ＭＳＢ）で最下位ビット（ＬＳＢ）の個数を有するエクスクルーシブオアゲート５１にｎ番目フレームとｎ＋１番目フレームのデータを入力して、その出力値を、オアゲート５３を通過させて使用する。
【００２７】
このオアゲート５３はエクスクルーシブオアゲートの出力値が一つでも“１”になれば出力値が“１”になるので出力値が“１”ならば２つフレームの画像データはお互いに異なるものとして判断し、“０”ならばお互いに同一であると判断する。
【００２８】
このように入力される画像データが動画像データであるか、それとも静止画像データであるかの判断は、図５のオアゲート５３から出力されるデータのうちで“１”をカウントして、そのカウント数が予め決めた値以上ならば動画像と判断し、予め決めた値以下ならば静止画像として判断する。
【００２９】
一方、図６は本発明によるデータ判別部の他の例を示したものであり、２つのＤフリップフロップ６１ａ、６１ｂと、差動増幅器６３と、から構成される。
【００３０】
図６によれば、差動増幅器６３の出力が“１”ならば、カウント数が基準数より大きいものとして判断する。このように判断された値に基いてガンマ電圧を動画像及び静止画像に適するように変えればよい。
【００３１】
参考に、モバイル用ドライバーＩＣはガンマ電圧の制御のプログラミングで可能であるために、ただコントロール信号のみを変換すればよい。
【００３２】
本発明は多様な変更をすることができることは自明である。したがって、上記の実施例の記載内容は本発明の特許請求範囲を限定するものではない。
【図面の簡単な説明】
【００３３】
【図１】従来技術によるモバイルディスプレイモジュールの構成図である。
【図２】本発明のモバイルディスプレイモジュールの構成図である。
【図３】図２のデータ判別部の構成図である。
【図４】本発明によるデータ判別部の動作を説明するためのフロー図である。
【図５】本発明による動画像判別のための構成図である。
【図６】図５に対する動画像判別の制御信号を発生する構成図である。
【符号の説明】
【００３４】
２１    ドライバ
２３    グラフィックＲＡＭ（メモリ）
２５    データラッチ部
２７    データ判別部
２９    ガンマ電圧発生部
５１    エクスクルーシブオアゲート
５３    オアゲート
６１ａ、６１ｂ    Ｄフリップフロップ
６３    差動増幅器
【図１】
2005198248.tif 000003
【図２】
2005198248.tif 000004
【図３】
2005198248.tif 000005
【図４】
2005198248.tif 000006
【図５】
2005198248.tif 000007
【図６】
2005198248.tif 000008